(57)【要約】【課題】  組立工数を削減し、コストを低減することが可能なコネクタを提供すること。【解決手段】  第一開口を有する箱状のリセプタクルと、リセプタクルに挿入されるプラグ３００と、を有するコネクタであって、リセプタクルは、側壁に一対の凹部を有し、プラグ３００は、筒状で弾性部材から形成されるプラグシェル部３１０と、プラグシェル部３１０に収容されて先端が露出するプラグハウジング部３２０と、を備え、プラグシェル部３１０は、本体部３１１と、本体部３１１の両側壁に一体的に立設されかつリセプタクルの凹部に係止可能な一対のロック部３１４と、を有するコネクタ。【選択図】      図１
2006048949.tif 000002
【特許請求の範囲】
【請求項１】
開口部を有する箱状のリセプタクルと、このリセプタクルに挿入されるプラグと、を有するコネクタであって、
前記リセプタクルは、側壁に一対の凹部を有し、
前記プラグは、筒状で弾性部材から形成されるプラグシェル部と、前記プラグシェル部に収容されて先端が露出するプラグハウジング部と、を備え、
前記プラグシェル部は、本体部と、前記本体部の両側壁に一体的に立設されかつ前記リセプタクルの凹部に係止可能な一対のロック部と、を有することを特徴とするコネクタ。
【請求項２】
前記ロック部は、切り欠き形成されることを特徴とする請求項１に記載のコネクタ。
【発明の詳細な説明】
【技術分野】
【０００１】
本発明は、コネクタに関する。より詳細には、リセプタクルとプラグとを備えリセプタクルを電気機器あるいは電子機器側に実装して使用されるコネクタに関する。
【背景技術】
【０００２】
従来より、プラグと、このプラグが接続されるリセプタクルと、を有するコネクタが知られている。このコネクタのリセプタクルは、例えば、電気機器あるいは電子機器側に実装される。
【０００３】
このようなコネクタには、プラグとリセプタクルとを確実に接続するため、ロック機構が設けられる場合がある。特に、ケーブル接続用コネクタには、ロック機構が設けられる場合が多い。このロック機構は、プラグをリセプタクルに確実に接続できることが要求される。
【０００４】
以上のようなロック機構を備えたコネクタとしては、例えば、開口部を有する箱状のリセプタクルと、リセプタクルに挿入されるプラグと、を有するコネクタであって、リセプタクルは内壁に１つの凹部を備え、プラグはプラグシェル部と、プラグシェル部に収納され先端が露出されるハウジング部と、を備えることを特徴とするコネクタがある（例えば、特許文献１参照）。
【０００５】
プラグシェル部は筒状であり、一方の側面壁に開口部を備える。ハウジング部は、ハウジング本体部と、ハウジング本体部の一方の側面であってかつプラグシェル開口部側の側面と同じ側の第一側面に設けられるロック部と、ロック部が設置された側面の反対側にあるハウジング本体部の第二側面に設けられるバネ部と、を備える。
【０００６】
ロック部は、ハウジング本体部と接するロック基端部と、ロック基端部から挿入方向に延びかつ弾性部材から形成されるロック本体部と、ロック本体部から延びプラグシェルの開口部から突出しかつ外方に向かうロック先端部と、を備える。
【０００７】
ロック先端部は、プラグとリセプタクルの接続時に、リセプタクルの凹部と係合する。バネ部は、ハウジング本体部の第二側面に設けられるバネ基端部と、バネ基端部から延びるバネであるバネ本体部と、バネ本体部から延びかつハウジングシェルの他方の内側面に当接するバネ先端部と、を備える。バネ部は、ハウジング本体部をプラグシェルの開口部方向に付勢する。
【０００８】
プラグがリセプタクルと接続される際、プラグのロック部は、リセプタクルの凹部に係合する。プラグのロック本体部が、リセプタクルの凹部に係合しているロック先端部をリセプタクルの凹部側に押圧し、さらに、バネ部が、ハウジング本体部をリセプタクルの凹部側に付勢する。このことによって、プラグとリセプタクルは、確実に接続される。
【特許文献１】特開２０００−２１５９４８号公報
【発明の開示】
【発明が解決しようとする課題】
【０００９】
しかしながら、上述したコネクタは、プラグとリセプタクルを確実に接続するために構造が複雑となる。そのため、上述したコネクタは組立工数が多く、コストがかかるという課題がある。現在、企業間競争が激化しているため、組立工数が多いことは、コネクタ出荷に時間がかかることにつながり、重要な販売機会を逃す場合がある。コストがかかるということは、研究開発など別の活動への投資機会を逃す場合がある。このように、コネクタの組立工数の削減および製造コストの低下は、コネクタの課題である。
【００１０】
本発明は、組立工数を削減し、コストを低減することが可能なコネクタを提供することを目的とする。
【課題を解決するための手段】
【００１１】
発明者は、上記の目的を満たすため、以下のような構成を採用する。
【００１２】
（１）開口部を有する箱状のリセプタクルと、このリセプタクルに挿入されるプラグと、を有するコネクタであって、前記リセプタクルは、側壁に一対の凹部を有し、前記プラグは、筒状で弾性部材から形成されるプラグシェル部と、前記プラグシェル部に収容されて先端が露出するプラグハウジング部と、を備え、前記プラグシェル部は、本体部と、前記本体部の両側壁に一体的に立設されかつ前記リセプタクルの凹部に係止可能な一対のロック部と、を有することを特徴とするコネクタ。
【００１３】
（１）の発明によれば、プラグとリセプタクルとの接続時、プラグをリセプタクルの開口部に挿入すると、プラグのロック部が、リセプタクルの側壁の凹部に係止する。弾性部材によって形成されるプラグのロック部は、リセプタクルの凹部を押圧する。プラグはリセプタクルと確実に接続され、接触不良を防止し、通電可能となる。この発明によるコネクタは、プラグシェル部の一対のロック部が本体部と一体的に形成されるため、部品数が減少する。部品数の減少により、組立工数が削減可能となり、コスト低減が可能となる。
【００１４】
（２）ロック部は、切り欠き形成されることを特徴とする（１）のコネクタ。
【００１５】
この発明によれば、ロック部が本体部から切り欠き形成されることにより、部品数がさらに減少する。よって、組立工数が削減され、さらに、コスト低減が可能となる。
【発明の効果】
【００１６】
従って、組立工数が削減可能となり、さらに、コスト低減が可能なコネクタを提供することができる。
【発明を実施するための最良の形態】
【００１７】
図１は、本発明の一実施形態にかかるプラグ３００を示す斜視図である。図２は、このプラグ３００の側面図である。図３は、このプラグ３００の正面図である。図４は、このプラグ３００の平面図である。
【００１８】
図５は、本発明の一実施形態にかかるリセプタクル２００を示す斜視図である。図６は、このリセプタクル２００の側面図である。
【００１９】
コネクタは、リセプタクル第一開口２１１を有する略箱状のリセプタクル２００と、リセプタクル２００のリセプタクル第一開口２１１に挿入されるプラグ３００と、を備えている。
【００２０】
リセプタクル２００は、リセプタクル第一開口２１１およびリセプタクル第二開口２１２を有する略筒状のリセプタクルシェル部２１０と、このリセプタクルシェル部２１０に収容されるリセプタクルハウジング部２２０と、このリセプタクルハウジング部２２０に保持される複数のコンタクト２３０と、を備える。このリセプタクル２００は、リセプタクルシェル部２１０のリセプタクル第一開口２１１から挿入されるプラグ３００と電気的に接続される。
【００２１】
リセプタクルハウジング部２２０は、リセプタクルハウジング本体部２２３と、リセプタクルシェル部２１０のリセプタクル第二開口２１２を塞ぐ略板状の基部２２１と、この基部２２１からリセプタクルシェル部２１０のリセプタクル第一開口２１１側に延びて複数のコンタクトを並列に配置された状態で保持する略板状のリセプタクル端子部２２２と、を備える。リセプタクルシェル部２１０の対向する側面には、一対の凹部２２５が形成されている。
【００２２】
リセプタクル２００は、さらに、リセプタクル端子部２２２が貫通する孔を備えかつリセプタクルシェル部２１０のリセプタクル第一開口２１１を塞ぐ略板状のシャッタ２４０と、リセプタクルシェル部２１０内にリセプタクル端子部２２２を囲んで設けられかつシャッタ２４０をリセプタクル第二開口２１２側からリセプタクル第一開口２１１側へ付勢する略筒状の弾性部材２５０と、を備える。
【００２３】
リセプタクル端子部２２２の表裏面には、複数の溝が櫛の歯状で形成されている。これらの溝に複数のコンタクト２３０が圧入され、コンタクト２３０がいわゆるデュアルインライン形に配列されている。並列配置されている複数のコンタクト２３０のそれぞれの基端部は、リセプタクル２００のリセプタクル第二開口２１２側から延出している（図５、図６参照）。
【００２４】
プラグ３００は、プラグ第一開口３１２およびプラグ第二開口３１３を有し筒状で弾性部材から形成されるプラグシェル部３１０と、プラグシェル部３１０に収容されて先端が露出するプラグハウジング部３２０と、プラグハウジング部３２０に収容される複数のコンタクト３３０と、を備える。
【００２５】
プラグシェル部３１０は、プラグシェル本体部３１１と、プラグシェル本体部３１１の両側壁に一体的に立設されかつリセプタクルの凹部２２５に係止可能な一対のロック部３１４と、を備える。
【００２６】
図２に示されるように、ロック部３１４は、プラグ第二開口部３１３側からプラグ第一開口３１２側に向けて延びる。なお、ロック部３１４は、プラグ第二開口部３１３側に形成される支持部３１６と、この支持部３１６のプラグ第一開口３１２側に形成されかつプラグシェル本体部３１１から外方に突出して形成されることによりリセプタクルハウジング本体部２２３の凹部２２５と係止可能である突起部３１５と、を備えて形成される（図４参照）。
【００２７】
この突起部３１５の先端はプラグシェル本体部３１１の内側に位置する。なお、突起部３１５は、プラグシェル本体部３１１から外方に０．２ｍｍ突出して形成される。
【００２８】
ロック部３１４は、プラグシェル本体部３１１から切り欠き形成される。具体的には、プラグシェル本体部３１１において、ロック部３１４の突起部３１５の先端の第一開口３１２側に切り欠き部３１８が形成される。なお、ロック部３１４は、弾性部材からプラグシェル本体部３１１と一体的に形成されるため、弾性変形可能である。
【００２９】
図３に示されるように、プラグハウジング部３２０は、プラグハウジング開口部３２１と、このプラグハウジング開口部３２１からリセプタクルの端子部２２２が挿入される直方体状の内部空間３２２と、を備える。内部空間３２２の対向する面には、複数の溝３２６と、溝３２６の間に設けられる嵩部３２５と、が櫛の歯状で形成されている。これらの溝３２６に複数のコンタクト３３０が圧入されることによって、コンタクト３３０は、いわゆるデュアルインライン形に配列されている。
【００３０】
コンタクト３３０は、屈曲部３３１で屈曲する屈曲板バネで形成されており、屈曲板バネの屈曲部３３１が内部空間３２２に突出するように配置されている。コンタクト３３０の屈曲部３３１は、弾性変形可能であり、屈曲部３３１の高さは嵩部３２５の高さよりわずかに高い。また、一対に並列配置されている複数のコンタクト３３０における各々の基端側は、プラグ３００のシェル３１０の第二開口３１３側から延出している。
【００３１】
プラグ３００とリセプタクル２００が接続される手順を説明する。まず、プラグ３００のプラグハウジング部３２０の先端でリセプタクル２００のシャッタ２４０を押圧する。すると、シャッタ２４０が弾性部材２５０の付勢力に抵抗してリセプタクル第二開口２１２側に後退し、プラグハウジング部３２０の先端がリセプタクル２００のリセプタクルハウジング部２２０内に挿入される。同時にリセプタクルハウジング部２２０のリセプタクル端子部２２２およびリセプタクルハウジング本体部２２３の内壁が露出し始める。このとき、リセプタクル端子部２２２は、プラグハウジング部３２０の内部空間３２２内に挿入されてリセプタクル第二開口２１２側へ進む。プラグ３００のロック部３１４の突起部３１５は、リセプタクルシェル部２１０の内壁に押圧され、内側に向かって弾性変形する。
【００３２】
プラグ３００をリセプタクル２００のリセプタクル第二開口２１２側へさらに挿入すると、シャッタ２４０がリセプタクル第二開口２１２側にさらに後退して、リセプタクル端子部２２２が露出され、プラグ３００のコンタクト３３０とリセプタクル２００のコンタクト２３０とが接触して、プラグ３００とリセプタクル２００とが電気的に接続される。
【００３３】
このとき、プラグ３００のコンタクト３３０の屈曲部３３１は、リセプタクル端子部２２２のコンタクト２３０に押圧されて、このリセプタクル端子部２２２のコンタクト２３０に弾性変形しながら接触する。したがって、コンタクト２３０とコンタクト３３０とが確実に接触することにより、接触不良が防止され、コネクタが通電可能となる。
【００３４】
このとき、プラグ３００のロック部３１４の突起部３１５は、リセプタクルシェル部２１０の凹部２２５に係合される。具体的には弾性部材によって形成されるロック部３１４の突出部３１５は、リセプタクルシェル部２１０が切り欠かれて形成された略矩形孔状の凹部２２５に嵌合され、内側に向かって弾性変形した状態から元の状態に戻る。したがって、プラグ３００はリセプタクル２００と確実に接続する。
【００３５】
本実施形態によれば、プラグシェル部３１０の一対のロック部３１４が、プラグシェル本体部３１１と一体的に形成されるため、部品数を減少できる。ロック部３１４が、切り欠き形成されるため、部品数をさらに減少できる。
【００３６】
本発明の一実施形態を説明してきたが、本発明はこの実施形態以外にも、さらに実施可能である。例えば他のＩ／Ｏコネクタにおいても実施される。
【産業上の利用可能性】
【００３７】
本発明は、ビデオカメラ等の電子機器に設けられるコネクタおよび他のＩ／Ｏコネクタに利用できる。
【図面の簡単な説明】
【００３８】
【図１】本発明の一実施形態にかかるプラグの斜視図。
【図２】前記実施形態にかかるプラグの側面図。
【図３】前記実施形態にかかるプラグの正面図。
【図４】前記実施形態にかかるプラグの平面図。
【図５】前記実施形態にかかるリセプタクルの斜視図。
【図６】前記実施形態にかかるリセプタクルの側面図。
【符号の説明】
【００３９】
２００    リセプタクル
２１１    第一開口（開口部）
２２５    凹部
３００    プラグ
３１０    プラグシェル部
３１１    本体部
３１４    ロック部
３１８    切り欠き部
３２０    プラグハウジング部
【図１】
2006048949.tif 000003
【図２】
2006048949.tif 000004
【図３】
2006048949.tif 000005
【図４】
2006048949.tif 000006
【図５】
2006048949.tif 000007
【図６】
2006048949.tif 000008